(57)【特許請求の範囲】
【請求項１】
平面視円形の且つ上開きの開口部を有し、油を貯めるための内部空間を有する、本体容器と、
上記開口部に着脱自在に嵌め込まれた環状体であり、半径方向外方向に突出した注ぎ口を有する、注ぎ口用枠体と、
を備えた油ポットにおいて、
上記枠体が、上記開口部に内嵌した下部枠部と、上記開口部から露出しており、上記注ぎ口を有する、上部枠部と、を有しており、
更に、上記枠体が、上記注ぎ口の裏側に回り込んだ油を上記内部空間へ戻すための、戻し流路を、有しており、
上記戻し流路が、溝からなっており、その溝が、上記注ぎ口の直下の位置から、上部枠部の外周面に沿って円周方向両側に向けて漸次下降しながら延び、更に、下部枠部の外周面に沿って円周方向両側に向けて漸次下降しながら延びて、上記内部空間に通じるように、形成されている、
ことを特徴とする、油ポット。
【請求項２】
溝の円周方向両端の間の距離が、上記開口部の全円周距離の１／３〜１／２に設定されている、請求項１記載の油ポット。
【請求項３】
上記溝の円周方向両端部が、円周方向両側に向けて漸次幅狭となるように形成されている、請求項１又は２に記載の油ポット。
【請求項４】
上記溝の円周方向両端部が、円周方向両側に向けて急激に下降しながら延びている、請求項１乃至３のいずれか一項に記載の油ポット。
【発明の詳細な説明】
【技術分野】
【０００１】
本発明は、例えば浄油器として使用される油ポットに関するものである。
【背景技術】
【０００２】
浄油器などとして使用される油ポットにおいては、注ぎ口から油を排出した後に、注ぎ口の裏側に回り込んだ油が垂れ落ちたり流れ落ちたりする、という不具合があった。そこで、そのような不具合を解消するための工夫を備えた油ポットが、種々提案されている（例えば、特許文献１〜４参照）。
【先行技術文献】
【特許文献】
【０００３】
【特許文献１】実開昭６３−１４３２５３号
【特許文献２】実用新案登録３０４４６６５号
【特許文献３】特開平１０−２９５５６５号公報
【特許文献４】実用新案登録３０２２９６４号
【発明の概要】
【発明が解決しようとする課題】
【０００４】
しかしながら、使用者は、更に簡便に且つ確実に、油の垂れ落ちなどを防止できる、油ポットを、望んでいる。
【課題を解決するための手段】
【０００５】
本発明は、平面視円形の且つ上開きの開口部を有し、油を貯めるための内部空間を有する、本体容器と、上記開口部に着脱自在に嵌め込まれた環状体であり、半径方向外方向に突出した注ぎ口を有する、注ぎ口用枠体と、を備えた油ポットにおいて、上記枠体が、上記開口部に内嵌した下部枠部と、上記開口部から露出しており、上記注ぎ口を有する、上部枠部と、を有しており、更に、上記枠体が、上記注ぎ口の裏側に回り込んだ油を上記内部空間へ戻すための、戻し流路を、有しており、上記戻し流路が、溝からなっており、その溝が、上記注ぎ口の直下の位置から、上部枠部の外周面に沿って円周方向両側に向けて漸次下降しながら延び、更に、下部枠部の外周面に沿って円周方向両側に向けて漸次下降しながら延びて、上記内部空間に通じるように、形成されている、ことを特徴としている。
【発明の効果】
【０００６】
本発明によれば、注ぎ口の裏側へ回り込んだ油を、戻し流路を介して内部空間へ戻すことができるので、油が垂れ落ちたり本体容器の外周面に沿って流れ落ちたりするのを、防止できる。
【図面の簡単な説明】
【０００７】
【図１】本発明の油ポットの一例である浄油器を示す前方斜視図である。
【図２】上記浄油器の後方斜視図である。
【図３】上記浄油器の分解側面図である。
【図４】注ぎ口用枠体の平面図である。
【図５】図４のＶ矢視図である。
【図６】図４のVI矢視図である。
【図７】上記浄油器の作用を示す側面部分図である。
【発明を実施するための形態】
【０００８】
図１は、本発明の油ポットの一例である浄油器を示す前方斜視図である。図２は、当該浄油器の後方斜視図である。図３は、当該浄油器の分解側面図である。この浄油器１０は、外容器である本体容器１と、注ぎ口用枠体２と、内容器３と、メッシュ皿４と、蓋５と、からなっている。
【０００９】
本体容器１は、例えばステンレス製の、有底円筒体である。すなわち、平面視円形の且つ上開きの、開口部１１を、有しており、また、油を貯めるための内部空間１２を、有している。本体容器１の側面の一部には、把持部１３が設けられている。
【００１０】
図４は、注ぎ口用枠体２の平面図である。枠体２は、開口部１１に着脱自在に嵌め込まれる環状体であり、例えばポリスチレン樹脂製である。枠体２には、半径方向外方向に突出した注ぎ口２１が形成されている。また、枠体２において、注ぎ口２１に対向した箇所には、位置決め用凸部２２が半径方向外方向に突出して形成されている。枠体２は、開口部１１に嵌め込まれた際に、開口部１１に内嵌する下部枠部２５と、開口部１１から露出する上部枠部２６と、により構成されている。注ぎ口２１及び凸部２２は、上部枠部２６に形成されている。
【００１１】
内容器３は、大円筒体部３１と小円筒体部３２とが連通して構成されており、例えばステンレス製である。小円筒体部３２は、活性炭フィルタ３２１によって塞がれている。大円筒体部３１の開口縁３１１の一部には、半径方向外方向に延びた把持片３３が設けられている。
【００１２】
メッシュ皿４は、例えばステンレス製の、メッシュネットからなっている。メッシュ皿４の上縁４１１の一部には、半径方向外方向に延びた把持片４１が設けられている。
【００１３】
蓋５は、枠体２を塞ぐ大きさの円板である。蓋５の周縁の一部には、半径方向外方向に延びた把持部５１が設けられている。
【００１４】
なお、本体容器１の把持部１３の上面１３１には、位置決め用凸部２２、把持片３３、及び把持片４１が嵌り込むための、凹部１３２が、形成されている。また、凸部２２の上面には、把持片３３及び把持片４１が嵌り込むための、溝部２２１（図４）が、形成されている。溝部２２１は、凸部２２が凹部１３２に嵌め込まれると、凹部１３２と連通するように、形成されている。また、把持部５１は、把持部１３の上面１３１にぴったりと合って把持部１３と共に一体型の取っ手を形成する形態を、有している。
【００１５】
浄油器１０は、次のようにして組み立てられている。すなわち、まず、枠体２が、本体容器１の開口部１１に、嵌め込まれる。このとき、凸部２２は、凹部１３２に嵌め込まれる。これにより、注ぎ口２１が、把持部１３の反対側に位置決めされる。次に、内容器３が、枠体２を貫通して、本体容器１の内部空間１２に入れられる。このとき、把持片３３は、溝部２２１及び凹部１３２に嵌め込まれる。次に、メッシュ皿４が、内容器３の開口縁３１１上に載せられる。このとき、把持片４１は、溝部２２１及び凹部１３２に嵌め込まれる。そして、蓋５が、枠体２を塞ぐように、枠体２上に載せられる。このとき、把持部５１は、把持部１３の上面１３１の上に重ねられる。
【００１６】
そして、上記構成の浄油器１０において、枠体２は、注ぎ口２１の裏側２１１に回り込んだ油を内部空間１２へ戻すための、戻し流路８を、有している。図５は、図４のＶ矢視図である。図６は、図４のVI矢視図である。戻し流路８は、溝からなっている。その溝は、注ぎ口２１の直下の位置Ｐから、上部枠部２６の外周面２６１に沿って円周方向（矢印Ｘ方向）両側に向けて漸次下降しながら延びるように形成された、上溝部８１と、更に、下部枠部２５の外周面２５１に沿って円周方向両側に向けて漸次下降しながら延びて、内部空間１２に通じるように、形成された、下溝部８２と、からなっている。上溝部８１は、位置Ｐから、円周方向両側に向けて、緩やかに下降している。上溝部８１の溝幅Ｗ１は、全体に渡って、略均一であり、下側部分が下部枠部２５の外周面２５１に存在するような大きさを有している。下溝部８２は、上溝部８１の円周方向両端から、円周方向両側に向けて急激に下降している。下溝部８２の溝幅Ｗ２は、円周方向両側に向けて漸次幅狭となっており、内部空間１２への開口８２１が最も狭くなっている。両側の開口８２１間の距離Ｌ（図４）は、本体容器１の開口部１１の全円周距離の１／３〜１／２に設定されている。
【００１７】
上記構成の浄油器１０は、次のように使用する。すなわち、まず、蓋５を開ける。次に、メッシュ皿４の上方から、ゆっくりと、使用済みの油を注ぎ込む。注ぎ込まれた油は、メッシュ皿４によって大きな不要物が取り除かれ、次いで、活性炭フィルタ３２１によって小さな不要物が取り除かれることによって、清浄化されて、内部空間１２に貯められる。この後は、清浄化された油を、そのまま保管してもよいが、次の用途に供してもよい。保管する場合は、蓋５を閉じる。
【００１８】
清浄化された油を次の用途に供する場合は、蓋５、メッシュ皿４、及び内容器３を、この順に、本体容器１から取り外し、枠体２を備えた本体容器１を傾けて、注ぎ口２１から油を排出する。
【００１９】
ところで、注ぎ口２１から油を排出する際、大部分の油は注ぎ口２１から順当に排出されるが、一部の油は注ぎ口２１の裏側２１１へ回り込んでしまう。その状態で、油の排出を止めて、浄油器１０を水平台などの上に静置すると、従来においては、注ぎ口２１の裏側２１１へ回り込んだ油が、垂れ落ちたり、本体容器１の外周面に沿って流れ落ちたりしていた。しかしながら、上記構成の浄油器１０においては、図７に示されるように、注ぎ口２１の裏側２１１へ回り込んだ油は、戻し流路８を流れて内部空間１２へ戻される。
【００２０】
すなわち、注ぎ口２１の裏側２１１へ回り込んだ油は、まず、上溝部８１内に次第に貯まっていく。上溝部８１の溝幅Ｗ１は、油が流れ込むのに充分な大きさに設定されているので、上溝部８１には油が円滑に流れ込んで貯まっていく。しかも、上溝部８１は、位置Ｐから、円周方向両側に向けて、緩やかに下降しているので、油は、上溝部８１に貯まりながら、円周方向両側に向けて流れて行く。下溝部８２も円周方向両側に向けて漸次下降しているので、上溝部８１内を円周方向両側に向けて流れた油は、更に、下溝部８２内を流れて行き、開口８２１から内部空間１２へ流れ落ちる。このとき、下溝部８２が急激に下降しているために、油は、勢い良く流れて、内部空間１２へ確実に流れ落ちる。しかも、下溝部８２の溝幅Ｗ２が漸次幅狭となっているために、油の流れは速度を増し、それ故、油は、開口８２１から勢い良く、内部空間１２へ流れ落ちる。
【００２１】
したがって、上記構成の浄油器１０によれば、注ぎ口２１の裏側２１１へ回り込んだ油を、戻し流路８を介して内部空間１２へ戻すことができるので、油が垂れ落ちたり本体容器１の外周面に沿って流れ落ちたりするのを、防止できる。
【００２２】
また、上記構成の浄油器１０においては、戻し流路８の両側の開口８２１間の距離Ｌが、本体容器１の開口部１１の全円周距離の１／３〜１／２に設定されているので、注ぎ口２１から油を排出するために本体容器１を傾けた際に、内部空間１２内の油面が両開口８２１に到達することは殆ど無い。したがって、上記構成の浄油器１０によれば、注ぎ口２１から油を排出する際に内部空間１２の油が戻し流路８を通って本体容器１の外へ流出するのを、防止できる。
【００２３】
仮に、注ぎ口２１から油を排出する際に油面が両開口８２１に到達した場合でも、開口８２１が非常に幅狭に設定されているので、油は戻し流路８に流入しにくい。したがって、この点からも、上記構成の浄油器１０によれば、注ぎ口２１から油を排出する際に内部空間１２の油が戻し流路８を通って本体容器１の外へ流出するのを、防止できる。
【産業上の利用可能性】
【００２４】
本発明の油ポットは、注いだ後に油が垂れ落ちたり流れ落ちたりするのを防止できるので、産業上の利用価値が大である。
【符号の説明】
【００２５】
１  本体容器  １０  浄油器  １１開口部  １２  内部空間  ２  注ぎ口用枠体  ２１  注ぎ口  ２１１  裏側  ２５  下部枠部  ２６  上部枠部  ８  戻し流路
【図１】
0005430374.tif 000002
【図２】
0005430374.tif 000003
【図３】
0005430374.tif 000004
【図４】
0005430374.tif 000005
【図５】
0005430374.tif 000006
【図６】
0005430374.tif 000007
【図７】
0005430374.tif 000008